(57)【要約】  本発明の黄疸計は、光を用いて黄疸の程度を測定する黄疸測定部と、前記黄疸測定部の点検を促す警告制御部とを備える。このような黄疸計は、警告制御部を備えるので、黄疸測定部の状態を点検する点検時期を警告することができる。
2014006825.tif 000002
【特許請求の範囲】
【請求項１】
光を用いて黄疸の程度を測定する黄疸測定部と、
前記黄疸測定部の点検を促す警告制御部とを備えること
を特徴とする黄疸計。
【請求項２】
前記警告制御部は、
日時を計時する計時部と、
前記黄疸測定部を点検した点検日を記憶する点検日記憶部と、
前記点検を行うべき時間間隔である点検期間を記憶する点検期間記憶部と、
前記点検日記憶部に記憶されている直近の点検日から前記点検期間記憶部に記憶されている前記点検期間が経過しているか否かを判定する点検期間経過判定部と、
前記点検期間経過判定部によって前記点検期間が経過していると判定された場合に、前記黄疸測定部の点検を促す点検の警告を出力する点検警告出力部とを備える、請求項１に記載の黄疸計。
【請求項３】
前記点検期間記憶部には、前記点検期間のデフォルト値が予め記憶されている、請求項２に記載の黄疸計。
【請求項４】
前記点検期間を外部から入力する点検期間入力部と、
前記点検期間入力部から入力された前記点検期間を前記点検期間記憶部に記憶させる点検期間記憶制御部とをさらに備える、請求項２または請求項３に記載の黄疸計。
【請求項５】
前記黄疸測定部の点検を実行する点検実行部と、
前記点検警告出力部によって前記点検の警告を出力した後に、前記点検実行部によって前記黄疸測定部の点検が実行されるまで、前記黄疸測定部の動作を停止する第１測定制御部とをさらに備える、請求項２ないし請求項４のいずれか１項に記載の黄疸計。
【請求項６】
前記第１測定制御部は、前記点検警告出力部によって出力された前記点検の警告の回数を計数し、前記計数した前記点検の警告の回数が予め設定された第１回数閾値に達した後に、前記点検実行部によって前記黄疸測定部の点検が実行されるまで、前記黄疸測定部の動作を停止する、請求項５に記載の黄疸計。
【請求項７】
前記警告制御部は、さらに、前記黄疸測定部の点検の結果に応じて前記黄疸測定部の校正を促す、請求項１ないし請求項６のいずれか１項に記載の黄疸計。
【請求項８】
前記警告制御出力部は、
前記黄疸測定部を校正した校正日を記憶する校正日記憶部と、
前記校正を行うべき時間間隔である校正期間を記憶する校正期間記憶部と、
前記校正日記憶部に記憶されている直近の校正日から前記校正期間記憶部に記憶されている前記校正期間が経過しているか否かを判定する校正期間経過判定部と、
前記校正期間経過判定部によって前記校正期間が経過していると判定された場合に、前記黄疸測定部の校正を促す校正の警告を出力する校正警告出力部とをさらに備え、前記黄疸測定部の校正を促す、請求項２ないし請求項６のいずれか１項に記載の黄疸計。
【請求項９】
前記校正期間記憶部には、前記校正期間のデフォルト値が予め記憶されている、請求項８に記載の黄疸計。
【請求項１０】
校正期間を外部から入力する校正期間入力部と、
前記校正期間入力部から入力された前記校正期間を前記校正期間記憶部に記憶させる校正期間記憶制御部とをさらに備える、請求項８または請求項９に記載の黄疸計。
【請求項１１】
前記黄疸測定部の校正を実行する校正実行部と、
前記校正警告出力部によって前記校正の警告を出力した後に、前記校正実行部によって前記黄疸測定部の校正が実行されるまで、前記黄疸測定部の動作を停止する第２測定制御部とをさらに備える、請求項８ないし請求項１０のいずれか１項に記載の黄疸計。
【請求項１２】
前記第２測定制御部は、前記校正警告出力部によって出力された前記校正の警告の回数を計数し、前記計数した前記校正の警告の回数が予め設定された第２回数閾値に達した後に、前記校正実行制御部によって前記黄疸測定部の校正が実行されるまで、前記黄疸測定部の動作を停止する、請求項１１に記載の黄疸計。
【発明の詳細な説明】
【技術分野】
【０００１】
本発明は、黄疸計に関し、特に、該黄疸計の状態を点検する点検時期を警告する機能を持った黄疸計に関する。
【背景技術】
【０００２】
黄疸は、赤血球中のヘモグロビンの分解によって生じたビリルビンが何らかの障害によって生体から排出されず、血液が高ビリルビン血症となり、この高ビリルビン血症の血中におけるビリルビンが生体組織に沈着することによって生体組織が黄染し、出現するものである。このビリルビンは、弾性線維との親和性が高いため、弾性線維の豊富な皮膚、強膜および血管等に沈着する。また、胎生期の胎児は、胎盤による酸素交換が肺による酸素交換より効率が良くないため、不足する酸素を補うためにその赤血球数が成人と比較して１．５倍から２倍程度多い。出生により肺呼吸が可能になると、血中の赤血球が過多となり、余分な赤血球が分解される。このため、新生児は、このような生理現象によって黄疸となり、この黄疸は、新生児黄疸と呼ばれる。【０００３】
この新生児黄疸は、時に重症に推移することがあり、新生児の生命や脳の発育に重大な影響を与える危険性がある。このため、新生児黄疸は、早期に適切に発見し、治療を行う必要がある。黄疸症状の強さ（黄疸の程度）の正確な判定は、血中のビリルビン値を測定するべきであるが、全ての新生児から採血して測定することは困難であり、また現実的ではない。【０００４】
そのため、従来、黄疸の程度を測定する黄疸計が開発されており、例えば、特許文献１ないし特許文献３等に開示されている。これら特許文献１ないし特許文献３に開示の黄疸計は、皮下組織に沈着しているビリルビンによって短波長側の光が長波長側の光よりも多く吸収されるという現象に基づき黄疸の程度を測定する機器である。より具体的には、これら各文献に開示された黄疸計では、ランバードベールの法則が利用されており、まず、黄疸計から光が皮膚に入射される。この入射光は、皮下組織中のビリルビンが沈着している脂肪層等で散乱され、その後方散乱の散乱光が、皮膚表面から射出され、黄疸計に受光される。黄疸計は、この後方散乱の散乱光から、ビリルビンの吸光係数の相対的に大きい第１波長およびその吸光係数の相対的に小さい第２波長における光量をそれぞれ求め、これら光量の差から皮下組織に沈着しているビリルビン濃度を測定する。このような光学式の黄疸計は、非侵襲であり、比較的短時間で測定結果が得られる利点を有している。【０００５】
ところで、黄疸計は、医療機器であり、誤診断を避けるためにも正常な状態で用いられるべきである。このため、黄疸計では、正常な測定結果を得るために、機器の状態を点検した後に測定を行うことを推奨している。特に、上記光学式の黄疸計では、後方散乱の散乱光を用いているために、光源の劣化によって光量が所期の光量より低下した場合や、光源から測定プローブに光を導光する導光部材（例えば光ファイバ等）の損傷によって光量が所期の光量より低下した場合等では、光量が少なくなって正常な測定結果を得ることが難しくなる。【０００６】
この機器が正常であるか否かの点検を行った後に測定を行うことは、取扱説明書に明記されているが、実際の使用現場では、これをユーザが認識していない場合がある。また、認識されている場合でも、どのタイミング（どのような間隔）で点検を行うべきか否かが分からないという場合もある。また、複数のユーザが１つの黄疸計を使用する場合に、前の使用者が点検を行ったか否か不明で、点検を行うべきか否かが分からないという場合もある。
【先行技術文献】
【特許文献】
【０００７】
【特許文献１】特公昭６２−２８０９号公報
【特許文献２】特開平４−１２７０３５号公報
【特許文献３】特開２０１２−６１２３２号公報
【発明の概要】
【０００８】
本発明は、上述の事情に鑑みて為された発明であり、その目的は、機器の状態を点検する点検時期を警告することができる黄疸計を提供することである。
【０００９】
本発明にかかる黄疸計は、光を用いて黄疸の程度を測定する黄疸測定部と、前記黄疸測定部の点検を促す警告制御部とを備える。このような黄疸計は、警告制御部を備えるので、黄疸測定部の状態を点検する点検時期を警告することができる。
【００１０】
上記並びにその他の本発明の目的、特徴及び利点は、以下の詳細な記載と添付図面から明らかになるであろう。
【図面の簡単な説明】
【００１１】
【図１】実施形態における黄疸計の外観を示す図である。
【図２】実施形態の黄疸計を置くスタンドの外観を示す斜視図である。
【図３】実施形態の黄疸計をスタンドに置いた様子を示す斜視図である。
【図４】実施形態における黄疸計の構成を示すブロック図である。
【図５】実施形態の黄疸計における点検の動作を示すフローチャートである。
【図６】実施形態の黄疸計における校正の動作を示すフローチャートである。
【図７】実施形態の黄疸計における出力部に表示される表示画面を示す図である。
【発明を実施するための形態】
【００１２】
以下、本発明にかかる実施の一形態を図面に基づいて説明する。なお、各図において同一の符号を付した構成は、同一の構成であることを示し、適宜、その説明を省略する。また、本明細書において、総称する場合には添え字を省略した参照符号で示し、個別の構成を指す場合には添え字を付した参照符号で示す。
【００１３】
図１は、実施形態における黄疸計の外観を示す図である。図１Ａは、一方側面図（左側面図）であり、図１Ｂは、正面図であり、図１Ｃは、他方側面図（右側面図）であり、図１Ｄは、入出射口（先端面）から見た図であり、そして、図１Ｅは、正面斜視図である。図２は、実施形態の黄疸計を置くスタンドの外観を示す斜視図である。図３は、実施形態の黄疸計をスタンドに置いた様子を示す斜視図である。図４は、実施形態における黄疸計の構成を示すブロック図である。
【００１４】
本実施形態における黄疸計は、皮下組織に沈着しているビリルビンによって短波長側の光が長波長側の光よりも多く吸収されるという現象に基づき黄疸の程度を測定する光学式の装置であり、黄疸の程度を測定する黄疸測定部と、前記黄疸測定部の点検を促す警告制御部と、これら黄疸測定部および警告制御部を収容する筐体とを備えている。
【００１５】
なお、本明細書において、点検とは、黄疸計が正常であるか否か、すなわち、正常な測定を行う上で黄疸計に障害が生じていないかどうか（障害の有無）を検査することをいい、校正とは、黄疸計によって測定された測定値が真の測定値に一致またはより近づくように、測定値の誤りを正すことをいう。
【００１６】
より具体的には、黄疸計Ａは、図１に示すように、ハンディタイプの装置であり、ユーザ（測定者、医師や看護師等の医療従事者等）の掌に収まる大きさのケーシング（ハウジング、筐体）Ｈを有している。このケーシングＨは、一方端（先端）が徐々に先細る略直方体形状の箱体である。ケーシングＨにおける一方主面の他方端側（上面の後端側）には、図１Ｂに示すように、後述の入力部４および出力部５が設けられている。また、先端側には、円筒状の突起部１１が、矢印ＡＲで示すようにケーシングＨに対して出退自在に設けられている。この突起部１１は、ばね部材等の図略の付勢手段（付勢部材）によりケーシングＨに対して突出方向（矢印ＡＲ下方向）に付勢されており、ユーザが被測定者の人体の一部、例えば額部分や胸部分に押し付けると、前記付勢手段の付勢力に逆らって突起部１１がケーシングＨ内に押し込まれ、後述する測定部１の光源が発光するように構成されている。前記光源が発光すると、この光源から放射された測定光が突起部１１の端面から出射し、被測定者の皮膚に入射するとともに、皮下組織中における後方散乱光が突起部１１を介してケーシングＨ内部の測定部１に入射するようになっている。すなわち、突起部１１の端面は、図１Ｄに示すように、測定光を出射する出射口および散乱光を入射する入射口である入出射口となっている。さらに、ケーシングＨの一方側面（右側面）の後端側には、図１Ｃに示すように、黄疸計Ａの電源を入り切りするための電源スイッチ１２が設けられている。
【００１７】
そして、このような形状の黄疸計Ａには、使用しない場合の保管場所として、図２に示すスタンド（保管台）Ｓが用意されている。このスタンドＳは、長楕円柱形状を斜めにカットした形状であり、この斜めにカットされた面には、黄疸計Ａを収納する収納凹部１０１と、前記黄疸測定部の状態の点検を行う場合に、前記突起部１１を収納する点検凹部とが設けられている。この点検凹部の底面には、減光フィルタおよび拡散板が配設されている。これによって、点検凹部に突起部１１を差し込んで点検した場合に、突起部１１から射出された測定光は、その光量を減少させつつ、点検凹部の底面で反射され、正反射と成らないように拡散光で突起部１１に入射される。なお、図２に示す例では、この点検凹部の開口がキャップ（蓋体）１０２で閉じられている。このようなスタンドＳの収納凹部１０１に黄疸計Ａが装着され、黄疸計ＡがスタンドＳに置かれた様子が図３に示されている。スタンドＳの収納凹部１０１に黄疸計Ａを装着することによって、突起部１１の端面を保護した状態で、黄疸計Ａを保管することができる。
【００１８】
このような黄疸計Ａにおける黄疸測定部および警告制御部は、より具体的には、図４に示すように、測定部１と、信号処理部２と、演算制御部３と、入力部４と、出力部５と、インターフェース部（以下、「ＩＦ部」と略記する。）６とを備えている。
【００１９】
測定部１は、演算制御部３の制御に従って、光を皮膚に入射させ、皮下組織中のビリルビンが沈着している脂肪層で散乱させることによって皮膚表面から射出される後方散乱光を受光し、２種類の波長の光を測定する装置である。測定光を射出する出射面１６は、図１Ｄに示すように、突起部１１の端面で外部に臨むように環状（リング状）で形成されており、射出された測定光が皮下組織内で散乱して戻ってきた散乱光を入射する入射面１５は、図１Ｄに示すように、出射面１６を構成する環状（リング状）の内側に、円形状で、突起部１１の端面で外部に臨むように形成されている。そして、散乱光を入射するもう１つの入射面１７は、図１Ｄに示すように、出射面１６を構成する環状（リング状）の外側に、環状（リング状）で、突起部１１の端面で外部に臨むように形成されている。すなわち、出射面１６と、入射面１５、１７とは、同心円状に位置している。また、測定部１の内部には、２種類の光学フィルタ（バンドパスフィルタ）が備えられており、それぞれ入射面１５、１７からの入射光を濾波して所定の透過波長帯域の光を射出する。本実施形態では、第１の光学フィルタは、青色光を透過させるために、その透過波長帯域の中心波長が４５０ｎｍに設定され、第２の光学フィルタは、緑色光を透過させるために、その透過波長帯域の中心波長が５００ｎｍに設定されている。これらの光学フィルタを介して受光された光は、その光量に応じた大きさの電流に光電変換され、得られた測定結果（受光信号）は、信号処理部２へ出力される。
【００２０】
信号処理部２は、測定部１で得られた測定結果（受光信号）に所定の信号処理を施して演算制御部３へ出力する回路である。信号処理部２は、例えば、電流信号の受光信号を電圧信号の受光信号に変換するＩＶ変換部と、前記ＩＶ変換部の出力を予め設定された所定の増幅率で増幅する増幅部と、前記増幅部の出力を、アナログ信号からディジタル信号へ変換（ＡＤ変換）するＡＤ変換部とを備えている。そして、前記ＡＤ変換部は、その変換結果のディジタル信号を演算制御部３へ出力する。すなわち、測定部１の出力は、これらＩＶ変換部、増幅部およびＡＤ変換部を介して演算制御部３に入力される。
【００２１】
入力部４は、例えば、黄疸の測定開始を指示するコマンド、黄疸計Ａの点検開始を指示するコマンドおよび黄疸計Ａの校正開始を指示するコマンド等の各種コマンド、および、例えば測定対象の識別子（ＩＤ）の入力等の黄疸の測定に伴う各種データを黄疸計Ａに入力する機器である。出力部５は、入力部４から入力されたコマンドやデータ、および、黄疸計Ａによって測定された黄疸の程度を出力する機器であり、例えばＣＲＴディスプレイ、液晶ディスプレイ（ＬＣＤ）、有機ＥＬディスプレイおよびプラズマディスプレイ等の表示装置や例えばプリンタ等の印刷装置等である。本実施形態では、入力部４は、例えば抵抗膜方式や静電容量方式等の操作位置を検出して入力する位置入力装置であり、出力部５は、表示装置であり、これら位置入力装置および表示装置でタッチパネルが構成される。
【００２２】
このタッチパネルでは、表示装置の表示面上に位置入力装置が設けられ、表示装置に入力可能な１または複数の入力内容の候補が表示され、ユーザが、入力したい入力内容を表示した表示位置を触れると、位置入力装置によってその位置が検出され、検出された位置に表示された表示内容がユーザの操作入力内容として黄疸計Ａに入力される。このようなタッチパネルでは、ユーザは、入力操作を直感的に理解し易いので、ユーザにとって取り扱い易い黄疸計Ａが提供される。
【００２３】
ＩＦ部６は、外部機器との間でデータの入出力を行う回路であり、例えば、ＵＳＢ（Universal Serial Bus）規格を用いたインターフェース回路である。
【００２４】
演算制御部３は、黄疸の程度を求めるべく、黄疸計Ａの各部を当該各部の機能に応じてそれぞれ制御するものである。演算制御部３は、例えば、ＣＰＵ（Ｃｅｎｔｒａｌ  Ｐｒｏｃｅｓｓｉｎｇ  Ｕｎｉｔ）、このＣＰＵによって実行される種々のプログラムやその実行に必要なデータ等を予め記憶するＲＯＭ（Ｒｅａｄ  Ｏｎｌｙ  Ｍｅｍｏｒｙ）やＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の不揮発性記憶素子、このＣＰＵのいわゆるワーキングメモリとなるＲＡＭ（Ｒａｎｄｏｍ  Ａｃｃｅｓｓ  Ｍｅｍｏｒｙ）等の揮発性記憶素子およびその周辺回路等を備えたマイクロコンピュータによって構成される。図４に示す例では、これら不揮発性記憶素子および揮発性記憶素子が点検日記憶部３５１、点検期間記憶部３６１、校正日記憶部３５２、校正期間記憶部３６２および記憶部３９として図示されている。そして、演算制御部３には、プログラムを実行することによって、機能的に、測定制御部３１、点検実行制御部３２１、点検警告出力部３３１、点検期間経過判定部３４１、点検期間記憶制御部３７１、校正実行制御部３２２、校正警告出力部３３２、校正期間経過判定部３４２、校正期間記憶制御部３７２および計時部３８が構成される。
【００２５】
点検日記憶部３５１は、黄疸測定部の状態、すなわち本実施形態における測定部１および信号処理部２の状態を点検した点検日Ｔを記憶するものである。点検日記憶部３５１は、直近の点検日Ｔ１だけを記憶するように構成されてもよく、点検履歴が記録されるように、直近の点検日Ｔ１を含む過去の複数の点検日Ｔｎを記憶するように構成されてもよい。
【００２６】
点検期間記憶部３６１は、点検を行うべき時間間隔である点検期間Ｔ０を記憶するものである。点検期間記憶部３６１は、１個の点検期間Ｔ０を記憶するように構成され、製造時や出荷時には点検期間Ｔ０のデフォルト値Ｔ０ｄが記憶され、ユーザが点検期間Ｔ０を設定した場合には、前記デフォルト値Ｔ０ｄに上書きされるように構成されてよい。あるいは、点検期間記憶部３６１は、複数の点検期間Ｔ０ｎを記憶するように構成され、製造時や出荷時に記憶される点検期間Ｔ０のデフォルト値Ｔ０ｄと、ユーザが設定したユーザ設定の点検期間Ｔ０の値Ｔ０ｙとを記憶するように構成されてよい。このユーザ設定の点検期間Ｔ０ｙを入力するために、入力部４は、点検期間Ｔ０を外部から入力するための点検期間入力部４１を備えている。点検期間Ｔ０のデフォルト値Ｔ０ｄは、例えば、半日や１日や２日等に適宜に設定される。
【００２７】
校正日記憶部３５２は、黄疸測定部の校正、本実施形態では、測定部１および信号処理部２を校正した校正日Ｄを記憶するものである。校正日記憶部３５２は、直近の校正日Ｄ１だけを記憶するように構成されてもよく、校正履歴が記録されるように、直近の校正日Ｄ１を含む過去の複数の校正日Ｄｎを記憶するように構成されてもよい。
【００２８】
校正期間記憶部３６２は、校正を行うべき時間間隔である校正期間Ｄ０を記憶するものである。校正期間記憶部３６２は、１個の校正期間Ｄ０を記憶するように構成され、製造時や出荷時には校正期間Ｄ０のデフォルト値Ｄ０ｄが記憶され、ユーザ（または製造者、あるいはサービスマン等）が校正期間Ｄを設定した場合には、前記デフォルト値Ｄ０ｄに上書きされるように構成されてよい。あるいは、校正期間記憶部３６２は、複数の校正期間Ｄ０ｎを記憶するように構成され、製造時や出荷時に記憶される校正期間Ｄ０のデフォルト値Ｄ０ｄと、ユーザが設定したユーザ設定の校正期間Ｄ０の値Ｄ０ｙとを記憶するように構成されてよい。このユーザ設定の校正期間Ｄ０ｙを入力するために、入力部４は、校正期間Ｄ０を外部から入力するための校正期間入力部４２を備えている。校正期間Ｄ０のデフォルト値Ｄ０ｄは、例えば、半年や１年等に適宜に設定される。
【００２９】
記憶部３９は、測定部１の測定結果から黄疸の程度を求める黄疸演算プログラム、黄疸計Ａの各部を制御する制御プログラム、点検の警告を行う点検警告プログラムおよび校正の警告を行う校正警告プログラム等の各種のプログラムや、測定結果等の各種のデータを記憶するものである。また、記憶部３９は、上述したように、ワーキングメモリでもある。
【００３０】
計時部３８は、日時を計時するものである。本実施形態では、点検期間Ｔ０の経過判定および校正期間Ｄ０の経過判定を日にちで判定するので、計時部３８は、少なくとも日にちを計時すればよく、前記日時の計時だけでなく、年月日の計時や年月日時の計時を行ってもよい。そして、計時部３８は、点検実行制御部３２１に要求されると、要求時点の日時を点検実行制御部３２１に通知する。計時部３８は、点検期間経過判定部３４１に要求されると、要求時点の日時を点検期間経過判定部３４１に通知する。計時部３８は、校正実行制御部３２２に要求されると、要求時点の日時を校正実行制御部３２２に通知する。計時部３８は、校正期間経過判定部３４２に要求されると、要求時点の日時を校正期間経過判定部３４２に通知する。
【００３１】
測定制御部３１は、測定部１を制御することによって、黄疸の程度を測定するものである。測定部１は、測定制御部３１の制御によって、上述のように、白色光の測定光を皮膚に入射させ、皮下組織の脂肪層で散乱させることによって皮膚表面から射出される後方散乱光を受光し、複数種類の波長の光を測定し、その測定結果を信号処理部２を介して測定制御部３１に出力する。測定制御部３１は、この測定結果に基づいて、黄疸の程度を求め、出力部５へ出力する。また、測定制御部３１は、点検実行制御部３２１および校正実行制御部３２２の各制御に応じて、点検および校正をそれぞれ実施する場合にも、後述するように、黄疸の程度を測定する場合と略同様に動作し、点検および校正をそれぞれ行う。
【００３２】
点検実行制御部３２１は、黄疸測定部の状態の点検を行うものであり、本実施形態では、測定部１および信号処理部２の点検を実行するものである。より具体的には、入力部４から点検開始の操作指示を受けると、点検実行制御部３２１は、測定制御部３１に黄疸の程度を測定する場合と同じ動作をさせる。そして、点検実行制御部３２１は、計時部３８から日時の通知を受け、その通知を受けた日時を、点検を行った点検日Ｔとして点検日記憶部３５１に記憶させる。なお、点検実行制御部３２１は、計時部３８に点検日Ｔを点検日記憶部３５１に記憶させてもよい。
【００３３】
点検期間経過判定部３４１は、例えば黄疸計Ａの起動時等の、予め設定された適宜な所定のタイミングで、点検日記憶部３５１に記憶されている直近の点検日Ｔ１から、点検期間記憶部３６１に記憶されている点検期間Ｔ０が経過しているか否かを判定するものである。この判定の結果、判定タイミングで、前記直近の点検日Ｔ１から点検期間Ｔ０が経過している場合には、点検の警告が必要と判定され、点検期間経過判定部３４１は、点検の警告を行うために、点検の警告を実行する旨を点検警告出力部３３１へ通知する。一方、この判定の結果、判定タイミングで、前記直近の点検日Ｔ１から点検期間Ｔ０が経過していない場合には、点検の警告が不必要と判定され、点検期間経過判定部３４１は、点検の警告の処理を終了する。
【００３４】
点検警告出力部３３１は、点検期間経過判定部３４１によって点検期間Ｔ０が経過していると判定され、点検期間経過判定部３４１より、前記点検の警告を実行する旨の通知を受けた場合に、黄疸測定部の状態の点検、すなわち、本実施形態では、測定部１および信号処理部２の点検を促す点検の警告を出力部５へ出力するものである。
【００３５】
点検期間記憶制御部３７１は、点検期間入力部４１から入力されたユーザ設定の点検期間Ｔ０ｙを点検期間記憶部３６１に記憶させるものである。
【００３６】
校正実行制御部３２２は、黄疸測定部の校正、本実施形態では、測定部１および信号処理部２の校正を実行するものである。より具体的には、校正板を測定するように黄疸計Ａがセットされ、入力部４から校正開始の操作指示を受けると、校正実行制御部３２２は、測定制御部３１に黄疸の程度を測定する場合と同じ動作をさせる。そして、校正実行制御部３２２は、この測定結果と、予め記憶された校正板を測定した場合に得られる本来の測定結果とのずれを正す校正値を求め、この求めた校正値を測定制御部３１に設定する。そして、校正実行制御部３２２は、計時部３８から日時の通知を受け、その通知を受けた日時を、校正を行った校正日Ｄとして校正日記憶部３５２に記憶させる。なお、校正実行制御部３２２は、計時部３８に校正日Ｄを校正日記憶部３５２に記憶させてもよい。
【００３７】
校正期間経過判定部３４２は、例えば黄疸計Ａの起動時等の、予め設定された適宜な所定のタイミングで、校正日記憶部３５２に記憶されている直近の校正日Ｄ１から、校正期間記憶部３６２に記憶されている校正期間Ｄ０が経過しているか否かを判定するものである。この判定の結果、判定タイミングで、前記直近の校正日Ｄ１から校正期間Ｄ０が経過している場合には、校正の警告が必要と判定され、校正期間経過判定部３４２は、校正の警告を行うために、前記校正の警告を実行する旨を校正警告出力部３３２へ通知する。一方、この判定の結果、判定タイミングで、前記直近の校正日Ｄ１から校正期間Ｄ０が経過していない場合には、校正の警告が不必要と判定され、校正期間経過判定部３４２は、校正の警告の処理を終了する。
【００３８】
校正警告出力部３３２は、校正期間経過判定部３４２によって校正期間Ｄ０が経過していると判定され、校正期間経過判定部３４２より、前記校正の警告を実行する旨の通知を受けた場合に、黄疸測定部の校正、すなわち、本実施形態では、測定部１および信号処理部２の校正を促す校正の警告を出力部５へ出力するものである。
【００３９】
校正期間記憶制御部３７２は、校正期間入力部４２から入力されたユーザ設定の校正期間Ｄ０ｙを校正期間記憶部３６２に記憶させるものである。
【００４０】
なお、本実施形態の黄疸計Ａでは、測定部１および信号処理部２が、黄疸測定部の一例に相当し、点検警告出力部３３１、点検期間経過判定部３４１、点検日記憶部３５１、点検期間記憶部３６１、校正警告出力部３３２、校正期間経過判定部３４２、校正日記憶部３５２、校正期間記憶部３６２および計時部３８が、警告制御部の一例に相当する。
【００４１】
次に、黄疸計Ａにおける点検の警告を行う点検警告動作および校正の警告を行う校正警告動作について説明する。図５は、実施形態の黄疸計における点検の動作を示すフローチャートである。図６は、実施形態の黄疸計における校正の動作を示すフローチャートである。図７は、実施形態の黄疸計における出力部に表示される表示画面を示す図である。図７Ａは、メインメニューの表示画面を示し、図７Ｂは、期間設定のサブメニューの表示画面を示し、そして、図７Ｃは、テンキー入力の表示画面を示す。
【００４２】
まず、黄疸計Ａにおける点検警告動作について説明する。例えば、黄疸計Ａの電源スイッチ１２が操作され黄疸計Ａの起動時等の、点検の警告を行うか否かを判定する所定のタイミングにおいて、まず、黄疸計Ａは、直近の点検日Ｔ１から、点検期間Ｔ０が経過しているか否かを判定し、この判定の結果、点検期間Ｔ０が経過している場合には、点検を促す点検の警告を行い、点検期間Ｔ０が経過していない場合には、処理を終了する。
【００４３】
より具体的には、図５に示すように、点検期間経過判定部３４１は、計時部３８に現在の日時を要求し、計時部３８から現在の日時の通知を受け、点検期間経過判定部３４１は、点検期間記憶部３６１に点検期間Ｔ０を要求し、点検期間記憶部３６１から点検期間Ｔ０の通知を受け、そして、点検期間経過判定部３４１は、点検日記憶部３５１に直近の点検日Ｔ１を要求し、点検日記憶部３５１から直近の点検日Ｔ１の通知を受ける（Ｓ１１）。
【００４４】
次に、点検期間経過判定部３４１は、日にち単位で、計時部３８から通知を受けた現在日Ｔｔｏｄａｙから、点検日記憶部３５１から通知を受けた直近の点検日Ｔ１を減算し、この減算結果（Ｔｔｏｄａｙ−Ｔ１）が、点検期間記憶部３６１から通知を受けた点検期間Ｔ０より大きいか否かを判定する（Ｓ１２）。
【００４５】
この判定の結果、前記減算結果が点検期間Ｔ０より大きい場合（Ｙｅｓ、（Ｔｔｏｄａｙ−Ｔ１）＞Ｔ０）には、点検の警告が必要と判定され、点検期間経過判定部３４１は、点検の警告を実行する旨を点検警告出力部３３１へ通知し、そして、処理Ｓ１３が実行される。一方、この判定の結果、前記減算結果が点検期間Ｔ０以下である場合（Ｎｏ、（Ｔｔｏｄａｙ−Ｔ１）≦Ｔ０）には、点検の警告が不必要と判定され、処理が終了される。
【００４６】
処理Ｓ１３において、点検警告出力部３３１は、点検期間経過判定部３４１より、前記点検の警告を実行する旨の通知を受けると、黄疸測定部の状態の点検、すなわち、本実施形態では、測定部１および信号処理部２の点検を促す点検の警告を出力部５へ出力する。この点検の警告は、例えば、「点検を行ってください」等の点検警告メッセージである。
【００４７】
ユーザは、この点検警告メッセージを見ることによって点検の要否を判断することができる。ユーザは、点検を行う場合には、黄疸計Ａの突起部１１をスタンドＳの点検凹部に差し込む。そして、ユーザは、点検開始の指示を黄疸計Ａに入力部４より入力する。
【００４８】
この点検開始の指示入力は、上述した入力部４および出力部５から構成されたタッチパネルを用いて行われる。例えば、このタッチパネルには、黄疸計Ａの動作モードを黄疸計Ａに指示入力して黄疸計をその動作モードで動作させるための、図７Ａに示すメインメニューが表示される。このメインメニューは、黄疸の程度の測定を黄疸計Ａに指示入力して黄疸の程度を測定する測定モードで黄疸計Ａを動作させる「測定」と、点検の実行を黄疸計Ａに指示入力して点検を行う点検モードで黄疸計Ａを動作させる「チェッカー」と、校正の実行を黄疸計Ａに指示入力して校正を行う校正モードで黄疸計Ａを動作させる「校正」と、点検期間の設定や校正期間の設定等の各種設定の実行を黄疸計Ａに指示入力して設定を行う設定モードで黄疸計Ａを動作させる「設定」と、過去に測定した測定結果の表示の実行を黄疸計Ａに指示入力して過去に測定した測定結果の表示を行う履歴モードで黄疸計Ａを動作させる「履歴」と、過去に測定した測定結果の消去の実行を黄疸計Ａに指示入力して過去に測定した測定結果の消去を行う履歴消去モードで黄疸計Ａを動作させる「履歴消去」とを備えている。ユーザは、前記タッチパネルに表示されたメインメニューの中から「チェッカー」の表示部分を触れ、これによって、点検開始の指示が黄疸計Ａに入力される。
【００４９】
黄疸計Ａでは、点検実行制御部３２１は、入力部４および出力部５から構成される前記タッチパネルによって、点検モードが選択されたか否かを判定する（Ｓ１４）。図７Ａに示す例では、点検実行制御部３２１は、タッチパネルにおける「チェッカー」の表示部分が触れられた否かを判定する。この判定の結果、点検モードが選択されたと判定した場合には、黄疸計Ａは、点検モードで動作し、点検実行制御部３２１は、点検の実行として、測定制御部３１に黄疸の程度を測定する場合と同じ動作をさせ、測定制御部３１は、測定結果を出力部５に出力する（Ｓ１５）。これによって点検が実行される。ユーザは、この出力部５に出力された測定結果を見て、通常得られる測定結果と同程度の数値である場合には、黄疸計Ａが正常であると判断し、通常得られる測定結果と同程度の数値ではない場合には、黄疸計Ａが正常ではないと判断する。そして、次に、点検実行制御部３２１は、計時部３８から日時の通知を受け、その通知を受けた日時を、点検を行った点検日Ｔとして点検日記憶部３５１に記憶させ（Ｓ１６）、処理を終了する。
【００５０】
点検の結果、黄疸計Ａが正常ではないと判断された場合は、黄疸計Ａの障害を是正する必要がある。例えば、校正の実施、光源の劣化や導光部材の損傷への対応が行われる。また、点検の結果、黄疸計Ａが正常であると判断される場合でも、長期間校正を行っていないと、経時変化などにより測定値のずれが発生している可能性がある。したがって、所定の期間が経過した場合は、このような測定値のずれを是正するために、黄疸計Ａの校正を行う必要がある。
【００５１】
次に、黄疸計Ａにおける校正警告動作について説明する。例えば、黄疸計Ａの電源スイッチ１２が操作され黄疸計Ａの起動時等の、校正の警告を行うか否かを判定する所定のタイミングにおいて、まず、黄疸計Ａは、直近の校正日Ｄ１から、校正期間Ｄ０が経過しているか否かを判定し、この判定の結果、校正期間Ｄ０が経過している場合には、校正を促す校正の警告を行い、校正期間Ｄ０が経過していない場合には、処理を終了する。
【００５２】
より具体的には、図６に示すように、校正期間経過判定部３４２は、計時部３８に現在の日時を要求し、計時部３８から現在の日時の通知を受け、校正期間経過判定部３４２は、校正期間記憶部３６２に校正期間Ｄ０を要求し、校正期間記憶部３６２から校正期間Ｄ０の通知を受け、そして、校正期間経過判定部３４２は、校正日記憶部３５２に直近の校正日Ｄ１を要求し、校正日記憶部３５２から直近の校正日Ｄ１の通知を受ける（Ｓ２１）。
【００５３】
次に、校正期間経過判定部３４２は、日にち単位で、計時部３８から通知を受けた現在日Ｔｔｏｄａｙから、校正日記憶部３５２から通知を受けた直近の校正日Ｄ１を減算し、この減算結果（Ｔｔｏｄａｙ−Ｄ１）が、校正期間記憶部３６２から通知を受けた校正期間Ｄ０より大きいか否かを判定する（Ｓ２２）。
【００５４】
この判定の結果、前記減算結果が校正期間Ｄ０より大きい場合（Ｙｅｓ、（Ｔｔｏｄａｙ−Ｄ１）＞Ｄ０）には、校正の警告が必要と判定され、校正期間経過判定部３４２は、校正の警告を実行する旨を校正警告出力部３３２へ通知し、そして、処理Ｓ２３が実行される。一方、この判定の結果、前記減算結果が校正期間Ｄ０以下である場合（Ｎｏ、（Ｔｔｏｄａｙ−Ｄ１）≦Ｄ０）には、校正の警告が不必要と判定され、処理が終了される。
【００５５】
処理Ｓ２３において、校正警告出力部３３２は、校正期間経過判定部３４２より、前記校正の警告を実行する旨の通知を受けると、黄疸測定部の校正、本実施形態では、測定部１および信号処理部２の校正を促す校正の警告を出力部５へ出力する。この校正の警告は、例えば、「校正を行ってください」等の校正警告メッセージである。
【００５６】
ユーザは、この校正警告メッセージを見ることによって校正の要否を判断することができる。校正を行う場合には、校正用治具を使って校正板を測定することによって、校正が実行される。
【００５７】
黄疸計Ａでは、校正実行制御部３２２は、入力部４および出力部５から構成される前記タッチパネルによって、校正モードが選択されたか否かを判定する（Ｓ２４）。図７Ａに示す例では、校正実行制御部３２２は、タッチパネルにおける「校正」の表示部分が触れられた否かを判定する。この判定の結果、校正モードが選択されたと判定した場合には、黄疸計Ａは、校正モードで動作し、校正実行制御部３２２は、測定制御部３１に黄疸の程度を測定する場合と同じ動作をさせ、測定制御部３１は、測定結果に基づいて校正を実行する（Ｓ２５）。そして、次に、校正実行制御部３２２は、計時部３８から日時の通知を受け、その通知を受けた日時を、校正を行った校正日Ｄとして校正日記憶部３５２に記憶させ（Ｓ２６）、処理を終了する。
【００５８】
ここで、上述の実施形態において、点検期間Ｔ０をユーザ設定したい場合には、例えば、次のように行われる。図７Ａに示す例では、ユーザは、前記タッチパネルに表示されたメインメニューの中から「設定」の表示部分を触れ、これによって、設定開始の指示が黄疸計Ａに入力され、黄疸計Ａは、設定モードで動作する。
【００５９】
この設定モードでは、まず、点検期間記憶制御部３７１は、前記タッチパネルに、黄疸計Ａの期間設定モードを黄疸計Ａに指示入力して黄疸計をその期間設定モードで動作させるための、図７Ｂに示す期間設定のサブメニューを表示する。この期間設定のサブメニューは、点検期間Ｔ０の設定の実行を黄疸計Ａに指示入力して点検期間Ｔ０の設定を行う点検期間設定モードで黄疸計Ａを動作させる「点検期間設定」と、校正期間Ｄ０の設定の実行を黄疸計Ａに指示入力して校正期間Ｄ０の設定を行う校正期間設定モードで黄疸計Ａを動作させる「校正期間設定」とを備えている。ユーザは、前記タッチパネルに表示された期間設定のサブメニューの中から「点検期間設定」の表示部分を触れ、これによって、点検期間設定の指示が黄疸計Ａに入力され、黄疸計Ａは、点検期間設定モードで動作する。
【００６０】
この点検期間設定モードでは、点検期間記憶制御部３７１は、ユーザ設定の点検期間Ｔ０ｙを受け付けるために、前記タッチパネルに、図７Ｃに示すテンキーを表示する。ユーザは、前記タッチパネルに表示されたテンキーの中から、ユーザ設定の点検期間Ｔ０ｙとして設定したい期間に相当する数値の表示部分を触れ、最後に、ＯＫの表示部分を触れる。これによって、ユーザ設定の点検期間Ｔ０ｙが黄疸計Ａに入力される。ユーザ設定の点検期間Ｔ０ｙを受け付けると、点検期間記憶制御部３７１は、このユーザが設定した点検期間Ｔ０ｙをユーザ設定として点検期間記憶部３６１に記憶する。これによってユーザ設定の点検期間Ｔ０ｙが黄疸計Ａに設定される。
【００６１】
また、これら上述の実施形態において、校正期間Ｄ０をユーザ設定したい場合には、例えば、次のように行われる。図７Ａに示す例では、ユーザは、上述したように、前記タッチパネルに表示されたメインメニューの中から「設定」の表示部分を触れ、これによって、設定開始の指示が黄疸計Ａに入力され、黄疸計Ａは、設定モードで動作する。
【００６２】
この設定モードでは、点検期間記憶制御部３７１は、図７Ｂに示す期間設定のサブメニューを表示する。ユーザは、前記タッチパネルに表示された期間設定のサブメニューの中から「校正期間設定」の表示部分を触れ、これによって、校正期間設定の指示が黄疸計Ａに入力され、黄疸計Ａは、校正期間設定モードで動作する。
【００６３】
この校正期間設定モードでは、校正期間記憶制御部３７２は、ユーザ設定の校正期間Ｄ０ｙを受け付けるために、前記タッチパネルに、図７Ｃに示すテンキーを表示する。ユーザは、前記タッチパネルに表示されたテンキーの中から、ユーザ設定の校正期間Ｄ０ｙとして設定したい期間に相当する数値の表示部分を触れ、最後に、ＯＫの表示部分を触れる。これによって、ユーザ設定の校正期間Ｄ０ｙが黄疸計Ａに入力される。ユーザ設定の校正期間Ｄ０ｙを受け付けると、校正期間記憶制御部３７２は、このユーザが設定した校正期間Ｄ０ｙをユーザ設定として校正期間記憶部３６２に記憶する。これによってユーザ設定の校正期間Ｄ０ｙが黄疸計Ａに設定される。
【００６４】
以上、説明したように、本実施形態の黄疸計Ａは、警告制御部の一例として、点検警告出力部３３１、点検期間経過判定部３４１、点検日記憶部３５１、点検期間記憶部３６１および計時部３８を備えるので、黄疸測定部の一例としての測定部１および信号処理部２を点検する点検時期を警告することができる。
【００６５】
また、本実施形態の黄疸計Ａは、点検期間記憶部３６１に点検期間Ｔ０のデフォルト値Ｔ０ｄが予め記憶可能であるので、ユーザは、適切な点検期間Ｔ０に関する知識が無くても、黄疸計Ａを適切に使用することができる。
【００６６】
また、本実施形態の黄疸計Ａは、点検期間入力部４１および点検期間記憶制御部３７１を備えるので、ユーザは、点検期間Ｔ０を自由に設定することができる。例えば、黄疸計Ａの使用頻度が相対的に少ない場合には、点検期間Ｔ０ｙを長めに設定したり、あるいは、黄疸計Ａの使用頻度が相対的に多い場合には、点検期間Ｔ０ｙを短めに設定したりすることが可能となる。
【００６７】
また、本実施形態の黄疸計Ａは、警告制御部の一例として、校正警告出力部３３２、校正期間経過判定部３４２、校正日記憶部３５２、校正期間記憶部３６２および計時部３８を備えるので、黄疸測定部の一例としての測定部１および信号処理部２の校正する校正時期を警告することができる。
【００６８】
また、本実施形態の黄疸計Ａは、校正期間記憶部３６２に校正期間Ｄ０のデフォルト値Ｄ０ｄが予め記憶可能であるので、ユーザは、適切な校正期間Ｄ０に関する知識が無くても、黄疸計Ａを適切に使用することができる。
【００６９】
また、本実施形態の黄疸計Ａは、校正期間入力部４２および校正期間記憶制御部３７２を備えるので、ユーザは、校正期間Ｄ０を自由に設定することができる。例えば、黄疸計Ａの使用頻度が相対的に少ない場合には、校正期間Ｄ０ｙを長めに設定したり、あるいは、黄疸計Ａの使用頻度が相対的に多い場合には、校正期間Ｄ０ｙを短めに設定したりすることが可能となる。
【００７０】
なお、上述の実施形態の黄疸計Ａでは、測定部１および信号処理部２の点検が行われたが、上述したように、黄疸計Ａでは、特に光量の低下によって正常な測定結果を得ることが難しくなるので、少なくとも測定部１の点検が行われるように、黄疸計Ａが構成されてもよい。
【００７１】
また、これら上述の実施形態の黄疸計Ａにおいて、測定制御部３１は、点検警告出力部３３１によって点検の警告を出力した後に、点検実行制御部３２１によって点検の実行を指示されたか否かを判定し、点検実行制御部３２１によって黄疸測定部の状態の点検、上述の実施形態では、測定部１および信号処理部２の状態の点検が実行されるまで、その動作を停止するように、構成されてもよい。このように構成することによって、黄疸計Ａは、黄疸測定部が確実に点検された後に、黄疸測定部で測定することができる。
【００７２】
また、これら上述の実施形態の黄疸計Ａにおいて、測定制御部３１は、点検警告出力部３３１によって出力された点検の警告の回数を計数し、前記計数した点検の警告の回数が予め設定された第１回数閾値Ｔｈ１に達した後に、点検実行制御部３２１によって黄疸測定部の状態の点検が実行されるまで、その動作を停止するように、構成されてもよい。このように構成することによって、黄疸計Ａは、点検の警告から、実際に点検が実行されるまでの間に、黄疸測定部で測定可能な猶予が与えられる。このため、例えば、黄疸計Ａを緊急に使用したい場合等、点検の警告が出力されても、点検せずに、黄疸測定部で測定することが可能となる。
【００７３】
また、これら上述の実施形態の黄疸計Ａにおいて、測定制御部３１は、校正警告出力部３３２によって校正の警告を出力した後に、校正実行制御部３２２によって校正の実行を指示されたか否かを判定し、校正実行制御部３２２によって黄疸測定部の校正、上述の実施形態では、測定部１および信号処理部２の校正が実行されるまで、その動作を停止するように、構成されてもよい。このように構成することによって、黄疸計Ａは、黄疸測定部が確実に校正された後に、黄疸測定部で測定することができる。
【００７４】
また、これら上述の実施形態の黄疸計Ａにおいて、測定制御部３１は、校正警告出力部３３２によって出力された校正の警告の回数を計数し、前記計数した校正の警告の回数が予め設定された第２回数閾値Ｔｈ２に達した後に、校正実行制御部３２２によって黄疸測定部の校正が実行されるまで、その動作を停止するように、構成されてもよい。このように構成することによって、黄疸計Ａは、校正の警告から、実際に校正が実行されるまでの間に、黄疸測定部で測定可能な猶予が与えられる。このため、例えば、黄疸計Ａを緊急に使用したい場合等、校正の警告が出力されても、校正せずに、黄疸測定部で測定することが可能となる。
【００７５】
本明細書は、上記のように様々な態様の技術を開示しているが、そのうち主な技術を以下に纏める。
【００７６】
一態様にかかる黄疸計は、光を用いて黄疸の程度を測定する黄疸測定部と、前記黄疸測定部の点検を促す警告制御部とを備えることを特徴とする。そして、好ましくは、前記警告制御部は、日時を計時する計時部と、前記黄疸測定部を点検した点検日を記憶する点検日記憶部と、前記点検を行うべき時間間隔である点検期間を記憶する点検期間記憶部と、前記点検日記憶部に記憶されている直近の点検日から前記点検期間記憶部に記憶されている前記点検期間が経過しているか否かを判定する点検期間経過判定部と、前記点検期間経過判定部によって前記点検期間が経過していると判定された場合に、前記黄疸測定部の点検を促す点検の警告を出力する点検警告出力部とを備える。
【００７７】
このような黄疸計は、警告制御部を備えるので、黄疸測定部を点検する点検時期を警告することができる。
【００７８】
また、他の一態様では、これら上述の黄疸計において、前記点検期間記憶部には、前記点検期間のデフォルト値が予め記憶されている。
【００７９】
このような黄疸計は、点検期間記憶部に点検期間のデフォルト値が予め記憶されているので、ユーザは、適切な点検期間に関する知識が無くても、黄疸計を適切に使用することができる。
【００８０】
また、他の一態様では、これら上述の黄疸計において、前記点検期間を外部から入力する点検期間入力部と、前記点検期間入力部から入力された前記点検期間を前記点検期間記憶部に記憶させる点検期間記憶制御部とをさらに備える。
【００８１】
このような黄疸計は、点検期間入力部および点検期間記憶制御部を備えるので、ユーザは、点検期間を自由に設定することができる。例えば、黄疸計の使用頻度が相対的に少ない場合には、点検期間を長めに設定したり、あるいは、黄疸計の使用頻度が相対的に多い場合には、点検期間を短めに設定したりすることが可能となる。
【００８２】
また、他の一態様では、これら上述の黄疸計において、前記黄疸測定部の点検を実行する点検実行部と、前記点検警告出力部によって前記点検の警告を出力した後に、前記点検実行部によって前記黄疸測定部の点検が実行されるまで、前記黄疸測定部の動作を停止する第１測定制御部とをさらに備える。
【００８３】
このような黄疸計は、測定制御部を備えるので、黄疸測定部が確実に点検された後に、黄疸測定部で測定することができる。
【００８４】
また、他の一態様では、上述の黄疸計において、前記第１測定制御部は、前記点検警告出力部によって出力された前記点検の警告の回数を計数し、前記計数した前記点検の警告の回数が予め設定された第１回数閾値に達した後に、前記点検実行部によって前記黄疸測定部の状態の点検が実行されるまで、前記黄疸測定部の動作を停止する。
【００８５】
このような黄疸計は、点検の警告から、実際に点検が実行されるまでの間に、黄疸測定部で測定可能な猶予が与えられる。このため、例えば、黄疸計を緊急に使用したい場合等、点検の警告が出力されても、点検せずに、黄疸測定部で測定することが可能となる。
【００８６】
また、他の一態様では、これら上述の黄疸計において、前記警告制御部は、さらに、前記黄疸測定部の点検の結果に応じて前記黄疸測定部の校正を促すことを特徴とする。そして、好ましくは、前記警告制御部は、前記黄疸測定部を校正した校正日を記憶する校正日記憶部と、前記校正を行うべき時間間隔である校正期間を記憶する校正期間記憶部と、前記校正日記憶部に記憶されている直近の校正日から前記校正期間記憶部に記憶されている前記校正期間が経過しているか否かを判定する校正期間経過判定部と、前記校正期間経過判定部によって前記校正期間が経過していると判定された場合に、前記黄疸測定部の校正を促す校正の警告を出力する校正警告出力部とをさらに備える。
【００８７】
このような黄疸計は、警告制御出力部がさらに校正の警告を出力するので、黄疸測定部を校正する校正時期を警告することができる。
【００８８】
また、他の一態様では、これら上述の黄疸計において、前記校正期間記憶部には、前記校正期間のデフォルト値が予め記憶されている。
【００８９】
このような黄疸計は、校正期間記憶部に校正期間のデフォルト値が予め記憶されているので、ユーザは、適切な校正期間に関する知識が無くても、黄疸計を使用することができる。
【００９０】
また、他の一態様では、これら上述の黄疸計において、校正期間を外部から入力する校正期間入力部と、前記校正期間入力部から入力された前記校正期間を前記校正期間記憶部に記憶させる校正期間記憶制御部とをさらに備える。
【００９１】
このような黄疸計は、校正期間入力部および校正期間記憶制御部を備えるので、ユーザは、校正期間を自由に設定することができる。例えば、黄疸計の使用頻度が相対的に少ない場合には、校正期間を長めに設定したり、あるいは、黄疸計の使用頻度が相対的に多い場合には、校正期間を短めに設定したりすることが可能となる。
【００９２】
また、他の一態様では、これら上述の黄疸計において、前記黄疸測定部の校正を実行する校正実行部と、前記校正警告出力部によって前記校正の警告を出力した後に、前記校正実行部によって前記黄疸測定部の校正が実行されるまで、前記黄疸測定部の動作を停止する第２測定制御部とをさらに備える。
【００９３】
このような黄疸計は、第２測定制御部を備えるので、黄疸測定部が確実に校正された後に、黄疸測定部で測定することができる。
【００９４】
また、他の一態様では、上述の黄疸計において、前記第２測定制御部は、前記校正警告出力部によって出力された前記校正の警告の回数を計数し、前記計数した前記校正の警告の回数が予め設定された第２回数閾値に達した後に、前記校正実行制御部によって前記黄疸測定部の校正が実行されるまで、前記黄疸測定部の動作を停止する。
【００９５】
このような黄疸計は、校正の警告から、実際に校正が実行されるまでの間に、黄疸測定部で測定可能な猶予が与えられる。このため、例えば、黄疸計を緊急に使用したい場合等、校正の警告が出力されても、校正せずに、黄疸測定部で測定することが可能となる。
【００９６】
この出願は、２０１２年７月２日に出願された日本国特許出願特願２０１２−１４８４１７を基礎とするものであり、その内容は、本願に含まれるものである。
【００９７】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００９８】
本発明によれば、黄疸計を提供することができる。
【図１】
2014006825.tif 000003
【図２】
2014006825.tif 000004
【図３】
2014006825.tif 000005
【図４】
2014006825.tif 000006
【図５】
2014006825.tif 000007
【図６】
2014006825.tif 000008
【図７】
2014006825.tif 000009
【国際調査報告】
2014006825.tif 000010
2014006825.tif 000011
2014006825.tif 000012